(57)【特許請求の範囲】
【請求項１】
平面型ディスプレイを設置面に設置するためのスタンドにおいて、
一対の脚部と、この一対の脚部を連結する連結部とを備え、
前記一対の脚部は、前記一対の脚部を前記設置面と直交方向に立てたとき、互いに対向する第１の面に前記連結部を係合させる第１の係合部と、前記一対の脚部を前記設置面と平行方向に伏せたとき、互いに対向する第２の面に前記連結部を係合させる第２の係合部とを有し、
前記連結部を前記第１の係合部に係合させて前記一対の脚部と前記連結部とを一体化する第１の状態と、前記連結部を前記第２の係合部に係合させて前記一対の脚部と前記連結部とを一体化する第２の状態とを選択自在とするよう構成したことを特徴とするスタンド。
【請求項２】
前記第１及び第２の係合部は、前記連結部を嵌め込むための穴であり、前記第２の状態では、前記第１の面を前記設置面側とし、前記第１の面に設けた穴に、この穴を塞ぐと共に滑り止め用のフットを取り付けるよう構成したことを特徴とする請求項１記載のスタンド。
【発明の詳細な説明】
【０００１】
【発明の属する技術分野】
本発明は、プラズマディスプレイ等の平面型ディスプレイ装置に用いるスタンドに関する。
【０００２】
【従来の技術】
図３は従来の平面型ディスプレイ装置の一例を示す斜視図である。図３において、平面型ディスプレイ１の下端部には、脚の短いスタンド２が取り付けられている。スタンド２は、２本の脚部２ａと平板部２ｂとよりなる。ビデオテープレコーダやビデオディスクプレーヤ等の平面型ディスプレイ１にて映像を再生する周辺機器３は、キャビネット４内に収納されている。このキャビネット４上には、スタンド２に取り付けられた平面型ディスプレイ１が載置されている。
【０００３】
図４は他の従来例を示す斜視図である。図４において、平面型ディスプレイ１の下端部には、脚の長いスタンド２′が取り付けられている。スタンド２′は、２本の脚部２ａ′と平板部２ｂ′とよりなる。平板部２ｂ′上の２本の脚部２ａ′の間には、周辺機器３が載置されている。
【０００４】
【発明が解決しようとする課題】
従来においては、平面型ディスプレイ装置の購入者が購入時に、周辺機器３を本体（平面型ディスプレイ１）の下に設置するかどうか選択する必要があった。例えば、図３に示す平面型ディスプレイ装置のように、脚の短いスタンド２が取り付けられたものを購入し、周辺機器３を本体の下に設置したくなった場合には、新たに脚の長いスタンド２′を購入して脚の短いスタンド２の代わりに平面型ディスプレイ１に装着したり、キャビネット４を購入することが必要となる。
【０００５】
一方、図４に示す平面型ディスプレイ装置のように、脚の長いスタンド２′が取り付けられたものを購入し、平面型ディスプレイ１を設置面に近付けて設置したい場合には、脚の短いスタンド２を購入して脚の長いスタンド２′の代わりに平面型ディスプレイ１に装着することが必要となる。
【０００６】
また、平面型ディスプレイ装置を製造販売する提供者にとっても、購入者の使用状況に対応するため、図３ような脚の短いスタンド２と図４のような脚の長いスタンド２′の双方を用意する必要があり、コストアップを招くという問題点があった。
【０００７】
本発明はこのような問題点に鑑みなされたものであり、周辺機器を平面型ディスプレイ下部に収納する場合でもしない場合でも双方に対応することができる平面型ディスプレイ装置に用いるスタンドを提供することを目的とする。
【０００８】
【課題を解決するための手段】
本発明は、上述した従来の技術の課題を解決するため、平面型ディスプレイ（１）を設置面に設置するためのスタンドにおいて、一対の脚部（６１）と、この一対の脚部を連結する連結部（６２ａ，６２ｂ）とを備え、前記一対の脚部は、前記一対の脚部を前記設置面と直交方向に立てたとき、互いに対向する第１の面に前記連結部を係合させる第１の係合部と、前記一対の脚部を前記設置面と平行方向に伏せたとき、互いに対向する第２の面に前記連結部を係合させる第２の係合部とを有し、前記連結部を前記第１の係合部に係合させて前記一対の脚部と前記連結部とを一体化する第１の状態と、前記連結部を前記第２の係合部に係合させて前記一対の脚部と前記連結部とを一体化する第２の状態とを選択自在とするよう構成したことを特徴とするスタンドを提供するものである。
【０００９】
【発明の実施の形態】
以下、本発明の平面型ディスプレイ装置に用いるスタンドについて、添付図面を参照して説明する。図１は本発明の平面型ディスプレイ装置に用いるスタンドの一実施例を示す斜視図、図２は本発明の平面型ディスプレイ装置に用いるスタンドの参考例を示す斜視図である。なお、図１，図２において、図３，図４と同一部分には同一符号が付してある。
【００１０】
図１において、（Ａ）は周辺機器を平面型ディスプレイ下部に収納する場合の形態、（Ｂ）は周辺機器を平面型ディスプレイ下部に収納せず、平面型ディスプレイ本体を設置面に近付けたい場合の形態を示している。まず、図１（Ａ）において、平面型ディスプレイ１は、固定支持具５によってスタンド６に取り付けられている。
【００１１】
スタンド６は次のように構成される。スタンド６は、平面型ディスプレイ１の画面の左右端部に位置する部分に、一対の略半円状の脚部６１を備える。一対の脚部６１の上端部と、平面型ディスプレイ１に対する手前側及び奥側の下端部は、連結部であるポール６２ａ，６２ｂによって連結されている。脚部６１の上端部と手前側及び奥側の下端部には、ポール６２ａ，６２ｂを係合させるための穴（係合部）が形成されており、ポール６２ａ，６２ｂをその穴に嵌め込むことによって、脚部６１とポール６２ａ，６２ｂとは一体化される。
【００１２】
ポール６２ａには、平面型ディスプレイ１を固定保持する固定支持具５が固定されている。２本のポール６２ｂ間には、周辺機器３を載置するための載置板６３が掛け渡されている。ポール６２ａと載置板６３との間は、周辺機器３を収納する空間となっている。脚部６１とポール６２ａ，６２ｂは平面型ディスプレイ１の重量を支えることができるものであればよい。ポール６２ａ，６２ｂは、円柱状でも角柱状でもよい。また、脚部６１は、略半円状に限定されることはなく、Ｖ字状，Ｕ字状，コ字状等であってもよい。
【００１３】
さて、周辺機器３を平面型ディスプレイ１本体下（載置板６３上）に設置せず、平面型ディスプレイ１を設置面に近付けて設置したい場合には、図１（Ｂ）のようにする。図１（Ａ）における脚部６１を９０°倒し、図１（Ａ）における脚部６１の内側の面、即ち、ポール６２ａ，６２ｂを係合させるための穴を形成した面を下側にして設置する。このとき、図１（Ｂ）に示すように、図１（Ａ）における脚部６１の下端部が、互いに対向するように設置する。
【００１４】
図１（Ｂ）の状態において、脚部６１には、互いに対向する内側の面にもポール６２ａを係合させるための穴（係合部）が形成されており、ポール６２ａをその穴に嵌め込むことによって、脚部６１とポール６２ａとが一体化される。図１（Ｂ）におけるポール６２ａを嵌め込むための穴は、図１（Ａ）における脚部６１の上端部の下面（設置面との対向面）に形成されていることになる。図１（Ａ）の状態にてポール６２ａ，６２ｂを嵌め込んでいた穴には、この穴を塞ぐと共に滑り止めを兼用するフット６４が取り付けられる。なお、フット６４は脚部６１に貼り付けたり、穴に嵌め込んだりする。
【００１５】
以上の説明より分かるように、スタンド６は、一対の脚部６１と、この一対の脚部６１を連結する連結部であるポール６２ａ，６２ｂとを備え、一対の脚部６１は、一対の脚部６１を設置面と直交方向に立てたとき、互いに対向する第１の面にポール６２ａ，６２ｂを係合させる穴（第１の係合部）と、一対の脚部６１を設置面と平行方向に伏せたとき、互いに対向する第２の面にポール６２ａ，６２ｂを係合させる穴（第２の係合部）とを有する。
【００１６】
そして、ポール６２ａ，６２ｂを第１の係合部に係合させて一対の脚部６１とポール６２ａ，６２ｂとを一体化すると、図１（Ａ）に示すように、周辺機器３を平面型ディスプレイ１下部に収納する第１の状態となる。ポール６２ａ，６２ｂを第２の係合部に係合させて一対の脚部６１とポール６２ａ，６２ｂとを一体化すると、図１（Ｂ）に示すように、周辺機器３を平面型ディスプレイ１下部に収納せず、平面型ディスプレイ１を設置面に近付ける第２の状態となる。スタンド６は、ポール６２ａ，６２ｂの脚部６１に対する組み付け方の相違によって、第１の状態と第２の状態とを選択自在とする、即ち、平面型ディスプレイ１下端部と設置面との間の距離を調整自在とする調整機構となっている。
【００１７】
次に、図２を用いて、平面型ディスプレイ１下端部と設置面との間の距離を調整自在とする調整機構の参考例について説明する。図２において、（Ａ）は周辺機器を平面型ディスプレイ下部に収納せず、平面型ディスプレイ本体を設置面に近付けたい場合の形態、（Ｂ）は周辺機器を平面型ディスプレイ下部に収納する場合の形態を示している。図２（Ａ），（Ｂ）において、平面型ディスプレイ１には、スタンド７が取り付けられている。スタンド７は、２本の脚部７ａと平板部７ｂとよりなる。
【００１８】
脚部７ａには、例えば２箇所ずつのボルト８を挿入するための穴が形成されており、平面型ディスプレイ１の背面には、複数のナット９を垂直方向に並べて設けられている。ボルト８をどのナット９に締め付けるかによって、脚部７ａの平面型ディスプレイ１に対する取り付け位置を選択する。２箇所ずつのボルト８で脚部７ａを平面型ディスプレイ１に取り付ける場合には、ナット９は少なくとも３箇所ずつとする。
【００１９】
周辺機器３を平面型ディスプレイ１下部に収納せず、平面型ディスプレイ１を設置面に近付けたい場合には、図２（Ａ）に示すように、ボルト８を上側２つのナット９に締め付ける。この場合、平面型ディスプレイ１の下端部は、設置面（平板部７ｂ）に近付く。周辺機器３を平面型ディスプレイ１下部に収納する場合には、図２（Ｂ）に示すように、ボルト８を下側２つのナット９に締め付ける。この場合、平面型ディスプレイ１の下端部は、設置面（平板部７ｂ）と離間し、平面型ディスプレイ１の下端部と平板部７ｂとの間は、周辺機器３を収納する空間となる。
【００２０】
以上の説明より分かるように、スタンド７は、平面型ディスプレイ１下部に平面型ディスプレイ１にて映像を再生する周辺機器３を設置する第１の状態と、平面型ディスプレイ１下部に周辺機器３を設置せず、平面型ディスプレイ１を設置面に近付ける第２の状態とを選択自在とするよう、平面型ディスプレイ１下端部と設置面との間の距離を調整自在とする調整機構を備えている。
【００２１】
【発明の効果】
以上詳細に説明したように、本発明の平面型ディスプレイ装置に用いるスタンドは、一対の脚部と、この一対の脚部を連結する連結部とを備え、一対の脚部は、一対の脚部を設置面と直交方向に立てたとき、互いに対向する第１の面に連結部を係合させる第１の係合部と、一対の脚部を設置面と平行方向に伏せたとき、互いに対向する第２の面に連結部を係合させる第２の係合部とを有し、連結部を第１の係合部に係合させて一対の脚部と連結部とを一体化する第１の状態と、連結部を第２の係合部に係合させて一対の脚部と連結部とを一体化する第２の状態とを選択自在とするよう構成したので、周辺機器を平面型ディスプレイ下部に収納する場合でもしない場合でも双方に対応することができる。
【図面の簡単な説明】
【図１】本発明の一実施例を示す斜視図である。
【図２】参考例を示す斜視図である。
【図３】従来例を示す斜視図である。
【図４】他の従来例を示す斜視図である。
【符号の説明】
１  平面型ディスプレイ
３  周辺機器
５  固定支持具
６，７  スタンド
７ａ，６１  脚部
７ｂ  平板部
８  ボルト
９  ナット
６２ａ，６２ｂ  ポール
６３  載置板
６４  フット
【図１】
0003565410.tif 000002
【図２】
0003565410.tif 000003
【図３】
0003565410.tif 000004
【図４】
0003565410.tif 000005